(57)【要約】【課題】アラーム報知の条件を変更する要因となる各種情報を直接取得する手段を設ける必要がなく、情報の追加変更が容易に設定することができ、地域ごとのアラーム報知変更要因条件の変化の仕方に対応した時刻の制御ができる。【解決手段】アラーム報知登録設定部１からアラーム報知の時刻として設定された時刻になったとき、データベース部４から、インターネット上の配信サーバから配信される情報であるアラーム報知変更要因条件を読み出し、アラーム報知を行うか否かの判定を行い、アラーム報知変更要因条件に含まれるアラーム報知変更要因情報が、アラーム報知を上記設定時刻に行うことを示すときはアラーム報知部２へのアラーム報知指示情報を出力し、アラーム報知を上記設定時刻に行う必要がなくなったことを示すときはアラーム報知を行わず、アラーム報知を行う時刻を上記設定時刻と異る別の時刻に変更、または中止とする。【選択図】　　　図１
2004117122.tif 000002
【特許請求の範囲】
【請求項１】
アラーム報知を行う時刻として設定された第１の時刻になったときに、前記アラーム報知を行うか否かの判定を、前記第１の時刻を示す時刻情報とともにアラーム報知条件としてあらかじめ設定しておいた条件である、インターネット上の配信サーバから配信された時間の経過とともに変化してアラーム報知を行うか否かの判定に影響を与える可能のある情報であるアラーム報知変更要因情報を含むアラーム報知変更要因条件に基づいて行い、前記アラーム報知変更要因条件に含まれる前記アラーム報知変更要因情報が、前記アラーム報知を前記第１の時刻に行うことを示すときは、前記アラーム報知を行い、前記アラーム報知を前記第１の時刻に行う必要がなくなったことを示すときは、前記アラーム報知を行わず、前記アラーム報知を行う時刻を前記第１の時刻と異る第２の時刻に変更することを特徴とするアラーム報知システム。
【請求項２】
請求項１記載のアラーム報知システムにおいて、前記アラーム報知変更要因情報が、前記アラーム報知を前記第１の時刻に行う必要がなくなったことを示すときは、前記アラーム報知を行う時刻を、前記アラーム報知変更要因条件に指定された前記第２の時刻に変更して前記アラーム報知を行うことを特徴とするアラーム報知システム。
【請求項３】
アラーム報知を行う時刻として設定された第１の時刻になったときに、前記アラーム報知を行うか否かの判定を、前記第１の時刻を示す時刻情報とともにアラーム報知条件としてあらかじめ設定しておいた条件である、インターネット上の配信サーバから配信された時間の経過とともに変化してアラーム報知を行うか否かの判定に影響を与える可能のある情報であるアラーム報知変更要因情報を含むアラーム報知変更要因条件に基づいて行い、前記アラーム報知変更要因条件に含まれる前記アラーム報知変更要因情報が、前記アラーム報知を前記第１の時刻に行うことを示すときは、前記アラーム報知を行い、前記アラーム報知を前記第１の時刻に行う必要がなくなったことを示すときは、前記アラーム報知を行わず、前記アラーム報知を中止することを特徴とするアラーム報知システム。
【請求項４】
（Ａ）アラーム報知を行う時刻としてユーザが設定した第１の時刻になったとき
、前記第１の時刻になったことを前記ユーザに報知するためのアラーム報知の要求登録の設定入力、前記アラーム報知を行うときの条件であるアラーム報知条件として設定入力される前記第１の時刻の設定入力、及び前記アラーム報知をユーザに対してユーザが設定した前記第１の時刻に行うべきか、あるいは別の方法で行うべきかの判定のためのアラーム報知条件として設定入力される、時間の経過とともに変化してアラーム報知を前記第１の時刻に行うか否かの判定に影響を与える可能のあるアラーム報知変更要因情報を含むアラーム報知変更要因条件の設定入力を行うためのアラーム報知登録設定部、
（Ｂ）前記ユーザから要求のあったアラーム報知を指示するアラーム報知指示情報を受信し、前記アラーム報知指示情報に基づいて前記アラーム報知を行うアラーム報知部、
（Ｃ）前記アラーム報知条件の中に指定され、前記アラーム報知を行うべき前記第１の時刻になったときに参照されて、前記アラーム報知の方法について、前記ユーザにより設定された前記第１の時刻に前記アラーム報知を行うべきか、あるいは前記第１の時刻に前記アラーム報知を行わず、あらかじめユーザにより設定された別の方法で前記アラーム報知を行うべきか否かの判定が行われる情報である、インターネット上の配信サーバから配信された前記アラーム報知変更要因情報が格納されたデータベース部、
（Ｄ）現在時刻を示す時刻データを出力するタイマ部、
（Ｅ）前記アラーム報知登録設定部によって設定入力され登録されたアラーム報知要求に基づいて、前記タイマ部から出力される前記時刻データを入力すると、前記時刻データが示す現在時刻と一致する前記第１の時刻を示す時刻情報の有無を検索し、前記時刻データが示す現在時刻と一致する前記第１の時刻を示す時刻情報が前記データベース部から検出されたとき、検出された前記第１の時刻を示す時刻情報とともに設定入力され格納された前記アラーム報知条件に含まれる、前記ユーザが指定した前記アラーム報知変更要因情報を読み出し、前記アラーム報知変更要因情報に基づいて、前記ユーザが指定する前記第１の時刻に前記アラーム報知を行うべきか否かを判定し、前記アラーム報知変更要因条件に含まれる前記アラーム報知変更要因情報が、前記アラーム報知を前記第１の時刻に行うことを示すときは、判定結果に基づいて前記アラーム報知部へのアラーム報知指示情報を送信し、前記アラーム報知変更要因条件に含まれる前記アラーム報知変更要因情報が、前記アラーム報知を前記第１の時刻に行う必要がなくなったことを示すときは、前記アラーム報知変更要因条件に従った内容のアラーム報知指示情報を前記アラーム報知部へ送信するアラーム報知制御部、
を備えたことを特徴とするアラーム報知システム。
【請求項５】
請求項４記載のアラーム報知システムにおいて、前記アラーム報知変更要因条件に従った内容のアラーム報知指示情報は前記アラーム報知を行う時刻を前記第１の時刻と異る第２の時刻に変更したことを示すことを特徴とするアラーム報知システム。
【請求項６】
請求項４記載のアラーム報知システムにおいて、前記アラーム報知登録設定部と前記アラーム報知部とを有する携帯端末と、前記データベース部と前記タイマ部と前記アラーム報知制御部とを有する、前記インターネット上に設けられた前記サーバとを備え、前記携帯端末は、前記インターネット介して前記サーバに接続するためのインターネット接続機能を有することを特徴とするアラーム報知システム。
【請求項７】
請求項４、請求項５または請求項６記載のアラーム報知システムにおいて、前記データベース部に格納されている前記アラーム報知変更要因情報を更新するためのデータベース情報入力・更新部を備えたことを特徴とするアラーム報知システム。
【請求項８】
請求項４、請求項５、請求項６または請求項７記載のアラーム報知システムにおいて、前記アラーム報知部は、ＧＰＳからの位置情報を取得する位置情報取得機能を有し、前記位置情報取得機能により前記ＧＰＳから取得した位置情報を前記アラーム報知制御部に出力し、前記アラーム報知制御部は、前記データベース部から、前記アラーム報知条件に含まれる、前記ユーザが指定した前記第１の時刻を示す時刻情報及び前記アラーム報知変更要因情報を読み出すとき、前記アラーム報知変更要因情報としては、前記アラーム報知部からの前記位置情報の示す地域に対応したアラーム報知変更要因情報を読み出して、前記ユーザが指定する前記第１の時刻に前記アラーム報知を行うべきか否かの判定は、前記位置情報の示す地域に対応したアラーム報知変更要因情報に基づいて行うことを特徴とするアラーム報知システム。
【発明の詳細な説明】
【０００１】
【発明の属する技術分野】
本発明はアラーム報知システムに関し、特にあらかじめ設定された時刻になったとき、その時刻になったことを報せるためのアラーム報知を行うアラーム報知システムに関する。
【０００２】
【従来の技術】
従来のアラーム報知システムとしては、例えば、ホテルに宿泊するお客に対して起床時刻を報せるためのアラーム報知システム（モーニングコール・システム）がある。このアラーム報知システムでは、お客が就床時前に、あらかじめホテルのフロントの方に起床時刻を依頼しておけば、依頼しておいた起床時刻になると部屋に設置されたベルやブザー等が鳴動して、お客に対して起床時刻になったことを報せるためのアラーム報知が行われる。このとき、お客に対してアラーム報知が行われる条件としては、唯一お客が依頼した起床時刻になったという条件のみであり、この条件が満たされたときにお客に対するアラーム報知が行われる。
【０００３】
すなわち、このアラーム報知システムの場合では、アラーム報知システムは、指定条件である、お客があらかじめ依頼しておいた起床時刻になったか否かをチェックして、時刻が上記起床時刻になったときに上記指定条件が満たされてアラーム報知が行われる。この場合、アラーム報知を行う際の指定条件は時刻の指定のみであり、あらかじめ設定された指定条件としての起床時刻にアラームを報知するようになっており、起床時刻の設定以外にアラーム報知を行うための他の条件は設定されない。
【０００４】
上述したアラーム報知システムはホテルでお客に対して起床時刻を報せるために行われるサービスであるが、一般家庭では起床時刻を報せる機器として一般には目覚まし時計が使用されている。
【０００５】
上記の一般家庭で用いられている目覚まし時計は、主に、翌朝、寝過すことのないように起床時間を設定して用いられ、使用方法も簡単で大変便利なものであるが、一方、下記のような問題点を解決すべき課題として有していた。
【０００６】
設定された時刻にベルやブザー等が鳴動してアラーム報知を行う従来の目覚まし時計では、通勤や通学のように時刻以外の条件に拘束されずに起床する場合には問題はないものの、休日にスポーツやハイキング等を予定していて、いざその当日に起床してみると気象状況の急変があったり、同行予定者が急用で同行不可になったりして上記予定の行事が急遽中止となって、休日の早起きが無駄となってしまうような場合があったり、あるいは反対に、行事の前日に気象条件の悪化があらかじめ予測されて、上記行事はもう必ず中止になるものと考えて、行事を計画した当初予定の起床時刻に目覚しを設定せずに翌日、うっかりそれより遅く起床してみたら、実は予測された気候等の諸条件の悪化が無く、予定していた上記行事が可能な天候となっていて、予定時刻に起床していれば実行が可能であったろうにと残念に思うような場合が起ることがあった。
【０００７】
しかし、近年、上記のような従来の目覚まし時計の有する課題を解決する技術として、特開平１１−０６４５５５号公報に記載されているような技術が開発されている。
【０００８】
特開平１１−０６４５５５号公報に記載されている技術は、目覚まし時計にマイクロコンピューターを内装した鳴動条件設定自在の条件制御装置を接続し、この条件制御装置に気象検知手段を接続したことを特徴として構成された目覚まし時計の技術、すなわち、時間以外の条件として気象条件を用いるように構成された目覚まし時計の技術であり、予定する行事等の実施を左右する気象情報を取得させると共に、あらかじめ定められた気象条件を満たしている場合にのみ、当初設定された起床時刻にアラーム報知をさせることにより、無駄な早起きと予定行事の不本意な延期等を解消することを目的とした技術である。
【０００９】
このため、特開平１１−０６４５５５号公報に記載されている技術は、アラーム報知条件制御装置に予定する行事等を決行するために必要な気温、湿度、気圧、日照、風力、雨量等の気象条件と起床時刻を設定すると、該条件制御装置が設定される起床時刻に気温、湿度、気圧、日照、風力、雨量等の気象情報を取得する計器から成る気象検知手段により判断し、当該気象条件を満たした場合のみに起床のためのアラームを鳴動させ、当該気象条件を満たさない場合には、アラームの鳴動は自動解除されるように構成されており、また、電話回線等の通信手段と接続してメッセージの送受信が可能となるように構成されている。
【００１０】
しかし、特開平１１−０６４５５５号公報に記載されている上記の技術については、気象検知手段について気温、湿度、気圧、雨量等を検知するための手段として、温度計、湿度計、気圧計、日照計、風速計、及び雨量計等の気象検知手段と接続しなければならず、一般的には、これらの手段は容易に実現できるものではなく、上記手段を用意するによって目覚まし時計の構成が非常に大規模になってしまうという問題点を有している。また、上記気象検知手段が固定的に接続され、あらかじめ接続された気象検知手段で検知される気象条件以外の条件をアラーム報知条件として設定することが容易にできないという問題点を有している。
【００１１】
また、上記の技術については、気象情報の取得は、上記のアラーム報知条件制御装置に設けられた各種の気象検知手段により取得されるので、取得できる気象情報は上記のアラーム報知条件制御装置が設置された場所の限られた気象情報であり、ユーザが出掛ける先の地域の気象情報は取得できないという問題点を有している。
【００１２】
【特許文献１】
特開平１１−０６４５５５号公報　（第２頁、図１）
【００１３】
【発明が解決しようとする課題】
上述した特開平１１−０６４５５５号公報に記載された技術が示すように、従来のアラーム報知システムでは、あらかじめ設定された起床時刻にアラーム報知を行うという単なる時刻条件だけでアラーム報知が行われる単純なアラーム報知条件ではなく、あらかじめ設定された起床時刻にアラーム報知を行うという条件を気象条件しだいで取り消して、あらかじめ設定された起床時刻になってもアラーム報知を行わないようにするために、アラーム報知動作を制御するための上記気象条件をアラーム報知の条件として設定できるように構成されているものの、当初設定されるアラーム報知の時刻条件を変更する要因となる気象情報を取得する手段である気象条件設定手段としては、温度計、湿度計、気圧計、日照計、風速計、及び雨量計等の気象を検知する各種の手段を設ける必要があり、このため構成が非常に大規模になってしまうという欠点を有しているとともに、あらかじめ接続された上記気象検知手段で検知される気象条件以外の条件をアラーム報知の設定条件として新たに設定することも容易にはできないという欠点を有している。
【００１４】
また、気象情報の取得は、上記のアラーム報知条件制御装置に設けられた各種の気象検知手段により取得されるので、取得できる気象情報は上記のアラーム報知条件制御装置が設置された場所の限られた気象情報であり、ユーザが出掛ける先の地域の気象情報は取得できないという欠点を有している。
【００１５】
本発明の目的は、アラーム報知の条件を変更する要因となる各種の情報を直接取得する手段を設ける必要がなく、また、アラーム報知の条件を変更する要因となる各種の情報の追加変更が容易に設定することができ、さらに、地域ごとのアラーム報知変更要因条件の変化の仕方に対応したアラーム報知時刻の制御ができるアラーム報知システムを提供することにある。
【００１６】
【課題を解決するための手段】
第１の発明のアラーム報知システムは、アラーム報知を行う時刻として設定された第１の時刻になったときに、前記アラーム報知を行うか否かの判定を、前記第１の時刻を示す時刻情報とともにアラーム報知条件としてあらかじめ設定しておいた条件である、インターネット上の配信サーバから配信された時間の経過とともに変化してアラーム報知を行うか否かの判定に影響を与える可能のある情報であるアラーム報知変更要因情報を含むアラーム報知変更要因条件に基づいて行い、前記アラーム報知変更要因条件に含まれる前記アラーム報知変更要因情報が、前記アラーム報知を前記第１の時刻に行うことを示すときは、前記アラーム報知を行い、前記アラーム報知を前記第１の時刻に行う必要がなくなったことを示すときは、前記アラーム報知を行わず、前記アラーム報知を行う時刻を前記第１の時刻と異る第２の時刻に変更することを特徴として構成される。
【００１７】
また、第２の発明のアラーム報知システムは、第１の発明のアラーム報知システムにおいて、前記アラーム報知変更要因情報が、前記アラーム報知を前記第１の時刻に行う必要がなくなったことを示すときは、前記アラーム報知を行う時刻を、前記アラーム報知変更要因条件に指定された前記第２の時刻に変更して前記アラーム報知を行うことを特徴として構成される。
【００１８】
また、第３の発明のアラーム報知システムは、アラーム報知を行う時刻として設定された第１の時刻になったときに、前記アラーム報知を行うか否かの判定を、前記第１の時刻を示す時刻情報とともにアラーム報知条件としてあらかじめ設定しておいた条件である、インターネット上の配信サーバから配信された時間の経過とともに変化してアラーム報知を行うか否かの判定に影響を与える可能のある情報であるアラーム報知変更要因情報を含むアラーム報知変更要因条件に基づいて行い、前記アラーム報知変更要因条件に含まれる前記アラーム報知変更要因情報が、前記アラーム報知を前記第１の時刻に行うことを示すときは、前記アラーム報知を行い、前記アラーム報知を前記第１の時刻に行う必要がなくなったことを示すときは、前記アラーム報知を行わず、前記アラーム報知を中止することを特徴として構成される。
【００１９】
また、第４の発明のアラーム報知システムは、
（Ａ）アラーム報知を行う時刻としてユーザが設定した第１の時刻になったとき、前記第１の時刻になったことを前記ユーザに報知するためのアラーム報知の要求登録の設定入力、前記アラーム報知を行うときの条件であるアラーム報知条件として設定入力される前記第１の時刻の設定入力、及び前記アラーム報知をユーザに対してユーザが設定した前記第１の時刻に行うべきか、あるいは別の方法で行うべきかの判定のためのアラーム報知条件として設定入力される、時間の経過とともに変化してアラーム報知を前記第１の時刻に行うか否かの判定に影響を与える可能のあるアラーム報知変更要因情報を含むアラーム報知変更要因条件の設定入力を行うためのアラーム報知登録設定部、
（Ｂ）前記ユーザから要求のあったアラーム報知を指示するアラーム報知指示情報を受信し、前記アラーム報知指示情報に基づいて前記アラーム報知を行うアラーム報知部、
（Ｃ）前記アラーム報知条件の中に指定され、前記アラーム報知を行うべき前記第１の時刻になったときに参照されて、前記アラーム報知の方法について、前記ユーザにより設定された前記第１の時刻に前記アラーム報知を行うべきか、あるいは前記第１の時刻に前記アラーム報知を行わず、あらかじめユーザにより設定された別の方法で前記アラーム報知を行うべきか否かの判定が行われる情報である、インターネット上の配信サーバから配信された前記アラーム報知変更要因情報が格納されたデータベース部、
（Ｄ）現在時刻を示す時刻データを出力するタイマ部、
（Ｅ）前記アラーム報知登録設定部によって設定入力され登録されたアラーム報知要求に基づいて、前記タイマ部から出力される前記時刻データを入力すると、前記時刻データが示す現在時刻と一致する前記第１の時刻を示す時刻情報の有無を検索し、前記時刻データが示す現在時刻と一致する前記第１の時刻を示す時刻情報が前記データベース部から検出されたとき、検出された前記第１の時刻を示す時刻情報とともに設定入力され格納された前記アラーム報知条件に含まれる、前記ユーザが指定した前記アラーム報知変更要因情報を読み出し、前記アラーム報知変更要因情報に基づいて、前記ユーザが指定する前記第１の時刻に前記アラーム報知を行うべきか否かを判定し、前記アラーム報知変更要因条件に含まれる前記アラーム報知変更要因情報が、前記アラーム報知を前記第１の時刻に行うことを示すときは、判定結果に基づいて前記アラーム報知部へのアラーム報知指示情報を送信し、前記アラーム報知変更要因条件に含まれる前記アラーム報知変更要因情報が、前記アラーム報知を前記第１の時刻に行う必要がなくなったことを示すときは、前記アラーム報知変更要因条件に従った内容のアラーム報知指示情報を前記アラーム報知部へ送信するアラーム報知制御部、
を備えたことを特徴として構成される。
【００２０】
また、第５の発明のアラーム報知システムは、第４の発明のアラーム報知システムにおいて、前記アラーム報知変更要因条件に従った内容のアラーム報知指示情報は前記アラーム報知を行う時刻を前記第１の時刻と異る第２の時刻に変更したことを示すことを特徴として構成される。
【００２１】
また、第６の発明のアラーム報知システムは、第４の発明のアラーム報知システムにおいて、前記アラーム報知登録設定部と前記アラーム報知部とを有する携帯端末と、前記データベース部と前記タイマ部と前記アラーム報知制御部とを有する、前記インターネット上に設けられた前記サーバとを備え、前記携帯端末は、前記インターネット介して前記サーバに接続するためのインターネット接続機能を有することを特徴として構成される。
【００２２】
また、第７の発明のアラーム報知システムは、第４の発明、第５の発明または第６の発明のアラーム報知システムにおいて、前記データベース部に格納されている前記アラーム報知変更要因情報を更新するためのデータベース情報入力・更新部を備えたことを特徴として構成される。
【００２３】
また、第８の発明のアラーム報知システムは、第４の発明、第５の発明、第６の発明または第７の発明のアラーム報知システムにおいて、前記アラーム報知部は、ＧＰＳからの位置情報を取得する位置情報取得機能を有し、前記位置情報取得機能により前記ＧＰＳから取得した位置情報を前記アラーム報知制御部に出力し、前記アラーム報知制御部は、前記データベース部から、前記アラーム報知条件に含まれる、前記ユーザが指定した前記第１の時刻を示す時刻情報及び前記アラーム報知変更要因情報を読み出すとき、前記アラーム報知変更要因情報としては、前記アラーム報知部からの前記位置情報の示す地域に対応したアラーム報知変更要因情報を読み出して、前記ユーザが指定する前記第１の時刻に前記アラーム報知を行うべきか否かの判定は、前記位置情報の示す地域に対応したアラーム報知変更要因情報に基づいて行うことを特徴として構成される。
【００２４】
【発明の実施の形態】
次に、本発明の実施の形態について図面を参照して説明する。
【００２５】
本発明は、ユーザがアラーム報知を要求してあらかじめ設定していたアラーム報知時刻（第１の時刻）になったときに、設定通りにアラーム報知を行っていいか否かの判定を、インターネット上の配信サーバから配信される情報、例えば晴天か雨天か等の気象状況を示す気象情報に基づいて行い、最新の気象情報が示す気象状況がアラーム報知を設定したときに予想された気象状況とは予想外に変化してしまい、この気象状況の変化によって、設定された上記第１の時刻におけるアラーム報知の必要がなくなってしまったような場合には、アラーム報知の時刻を上記第１の時刻とは異る第２の時刻に変更したり、あるいは中止するように構成されたアラーム報知システムである。
【００２６】
すなわち、アラーム報知を設定するとき、上記アラーム報知時刻を示す第１の時刻を示す情報である第１の時刻情報とともにアラーム報知条件として、あらかじめ、時間の経過とともに変化してアラーム報知を上記第１の時刻に行うか否かの判定に影響を与える可能のある、アラーム報知の時刻を変更する要因となる気象情報などのような配信情報を含んで構成した、アラーム報知の方法を変更する条件（アラーム報知変更要因条件）を設定するアラーム報知システムであり、このアラーム報知の時刻を変更する要因となる気象情報などのような情報（アラーム報知変更要因情報）をインターネット上の配信サーバから配信されて用いるように構成され、アラーム報知時刻になったときに、上記アラーム報知変更要因条件に基づいて、アラーム報知の方法を変更するか否かを判定するものであるが、アラーム報知変更要因条件に含まれるアラーム報知変更要因情報が、アラーム報知をあらかじめ設定された第１の時刻に行うように示している情報であるときは、第１の時刻にアラーム報知を行い、このアラーム報知をあらかじめ設定された第１の時刻に時刻に行う必要がなくなったことを示す情報であるときは、アラーム報知を行わず、アラーム報知を行う時刻を第１の時刻とは異る第２の時刻に変更するか中止するように構成される。
【００２７】
例えば、釣などの行楽に行く日の前日に、翌日は晴天であることを予想して、翌日の早朝に起床できるように起床時刻（第１の時刻）を設定しておけば、翌日の早朝の起床時刻になったとき、その時刻になったことをアラーム音でユーザに報知することになるが、もしも、翌朝の天候が釣などの行楽に相応しくない天候であるときには、上記起床時刻（第１の時刻）にアラーム報知は行わず、第１の時刻とは異る第２の時刻に変更するか中止することができるように構成されたアラーム報知システムである。
【００２８】
上述したように、本発明は、上記アラーム報知変更要因情報として、インターネット上の配信サーバからインターネットを介して配信される情報を用いるように構成される。
【００２９】
図１は、本発明のアラーム報知システムの実施の一形態を示すブロック図である。
【００３０】
図１に示す本実施の形態のアラーム報知システムは、アラーム報知を要求する登録の設定、その登録の設定の中でアラーム報知条件として必要な、アラーム報知を行う第１の時刻の設定、及びアラーム報知のためにあらかじめユーザにより設定された第１の時刻になったときに行われる、アラーム報知の時刻を他の時刻に変更するか否か、または、アラーム報知を中止するか否かの判定の際に参照するための、上述したアラーム報知変更要因条件の設定等の入力を行うアラーム報知登録設定部１と、ユーザが設定した上記の第１の時刻または第２の時刻になったとき、第１の時刻または第２の時刻になったことをユーザに報知するように指示するアラーム報知指示情報を後述するアラーム報知制御部６から受信して、ユーザにアラーム報知を行うアラーム報知部２と、現在時刻を示す時刻データを出力するタイマ部３と、アラーム報知登録設定部１で設定入力されるアラーム報知を行う第１の時刻情報と、上記アラーム報知条件の中でアラーム報知変更要因条件を構成するアラーム報知変更要因情報と、このアラーム報知変更要因情報を用いてユーザにより構成され、アラーム報知を行う第１の時刻情報とともにアラーム報知登録設定部１で設定入力されるアラーム報知変更要因条件とが格納されるデータベース部４と、データベース部４に格納された上記要因情報を更新するためのデータベース情報入力・更新部５と、ユーザによってアラーム報知登録設定部１から設定され登録されたアラーム報知要求を受け付けて、要求のあったアラーム報知を行うために、ユーザによって設定されたアラーム報知条件に従って前記アラーム報知のための処理を行い、アラーム報知部２への上記のアラーム報知指示情報を送信するアラーム報知制御部６とから構成される。
【００３１】
なお、上記の第２の時刻は、上記のアラーム報知変更要因条件の設定の入力を行う際にユーザによりアラーム報知変更要因条件の中で設定入力される。
【００３２】
また、アラーム報知登録設定部１は、図示しないキーボードあるいはマウス等を有し、ユーザがアラーム報知を要求する登録の設定を行うためのアラーム報知登録設定入力手段１１と、図示しないディスプレイを有し、アラーム報知登録設定入力手段１１からアラーム報知の登録設定のために入力された諸情報、すなわち、アラーム報知が行われる第１の時刻を示す時刻情報、上記のデータベース部４から読み出したアラーム報知変更要因情報、及びそのアラーム報知変更要因情報に基づいて生成されたアラーム報知条件等を上記ディスプレイに表示させる表示手段１２と、アラーム報知登録設定入力手段１１から入力されアラーム報知条件として設定された、アラーム報知が行われる第１の時刻の時刻情報、アラーム報知が行われる相手先を示すアラーム報知先情報、アラーム報知先の地域を示す位置情報等の諸情報を表示手段１２に表示するとともに、表示手段１２の表示内容をアラーム報知制御部６へ送信し、また、データベース部４に格納された、例えば、気象状況を示す気象情報などのような、アラーム報知が行われる時刻を変更させる可能性のある最新のアラーム報知変更要因情報を含んで構成されるアラーム報知変更要因条件が、アラーム報知登録設定入力手段１１から入力された指示によってデータベース部４から読み出されてアラーム報知制御部６から送信されてきたとき、これを受信して表示手段１２に表示させ、表示手段１２に表示された上記アラーム報知変更要因条件の中から、ユーザが自分のアラーム報知の登録設定に使用するためにアラーム報知登録設定入力手段１１によって選択したアラーム報知変更要因条件を、さらにユーザが必要に応じてアラーム報知登録設定入力手段１１によって編集してアラーム報知条件として設定入力したとき、設定入力されたこのアラーム報知条件をアラーム報知制御部６へ送信するアラーム報知登録制御手段１３とから構成される。
【００３３】
また、アラーム報知部２は、アラーム報知制御部６から出力されるアラーム報知指示情報を受信するアラーム報知指示情報受信手段２２と、図示しないスピーカあるいはベル等を有し、アラーム報知指示情報受信手段２２が受信したアラーム報知指示情報を入力して、アラーム報知指示情報に基づいてスピーカあるいはベル等を鳴動させてアラーム報知を行うとともに、アラーム報知指示情報にメッセージが含まれている場合は、そのメッセージを上記表示手段１２に表示させるアラーム報知手段２３とから構成される。
【００３４】
また、データベース情報入力・更新部５は、データベース部４に格納されている上記要因情報を更新するための新たな要因更新情報入力、要因更新を指示するための要因更新指示入力、新たな要因情報の設定を指示するための新要因情報設定指示入力等の入力を行うキーボードあるいはマウス等のデータベース入力手段５１と、図示しないインターネットに接続され、データベース部４に格納されている、アラーム報知変更要因情報である気象情報等を最新情報に更新するため、インターネット上の図示しない配信サーバから配信される気象情報を受信するインターネット配信情報受信手段５２と、データベース部４に格納されている要因情報を、データベース入力手段５１から入力された要因更新情報、あるいはインターネット配信情報受信手段５２から入力される要因更新情報により更新するデータベース入力・更新制御手段５３とから構成される。
【００３５】
また、アラーム報知制御部６は、アラーム報知登録設定部１のアラーム報知登録制御手段１３に、データベース部４から読み出されたアラーム報知変更要因情報及びアラーム報知条件を送信し、また、アラーム報知登録制御手段１３から送信された、ユーザにより設定されたアラーム報知条件を受信するアラーム報知条件送受信手段６１と、タイマ部３から出力される時刻データが示す現在時刻が、ユーザが設定した、アラーム報知の行われる第１の時刻と一致したとき、ユーザによるアラーム報知の登録時にアラーム報知登録設定部１から送信され、アラーム報知条件送受信手段６１を介して入力されたアラーム報知条件に従って、このアラーム報知条件が気象情報をアラーム報知変更要因情報を含んで構成されているときは、アラーム報知登録設定部１から設定入力されたアラーム報知先の地域を示す位置情報に基づいて、前記地域の最新の気象状況を示した気象情報をデータベース部４から読み出し、読み出された前記気象情報に基づいて、アラーム報知の方法についてユーザによる当初の設定通りに第１の時刻でアラーム報知を行うべきか、あるいは当初の設定通りにアラーム報知を行わず、あらかじめユーザにより設定された別の方法でアラーム報知を行うべきかの判定を行い、その判定結果に従って、あらかじめユーザにより設定された別の方法でアラーム報知を行う場合は、その旨のメッセージを生成し、このメーッセージを含んだアラーム報知指示情報をアラーム報知部２のアラーム報知指示情報受信手段２２へ出力するアラーム報知処理制御手段６２と、アラーム報知処理制御手段６２からアラーム報知指示情報が入力されたときに、後述する識別情報で指定されたアラーム報知部２にアラーム報知を行うアラーム報知指示情報送信手段６３とから構成される。
【００３６】
なお、データベース部４に格納されるアラーム報知変更要因情報は、取得されデータベース部４に格納された日時を示す日時データ（要因情報取得日時データ）と関係付けられてデータベース部４に格納される。また、格納される各種のアラーム報知変更要因情報は、インターネット配信情報受信手段５２を介して該当する配信サーバから定期的に配信されて最新情報に更新される。
【００３７】
また、上述したように、アラーム報知制御部６のアラーム報知処理制御手段６２は、タイマ部３から出力される時刻データが示す現在時刻と一致する、ユーザが設定した、アラーム報知の行われる第１の時刻を検索するが、気象条件の中で第２の時刻が用いられている場合は、第２の時刻の方が第１の時刻より早い時刻であるときは、早い時刻の第２の時刻の方を検索する必要があるので、アラーム報知処理制御手段６２は第２の時刻を検索して、そのときの気象条件に基づいて、設定された第１の時刻でアラーム報知を行うか否かの判定が行われることになる。
【００３８】
図１に示す本実施の形態のアラーム報知システムは、上記のように構成されるが、下記の動作説明では、タイマ部３、データベース部４、データベース格納更新部５及びアラーム報知制御部６が、インターネット上に設けられたアラーム報知サービスを提供するためのサーバに収容され、一方、アラーム報知登録設定部１及びアラーム報知部２は、例えば、ユーザの自宅の、インターネットに接続された端末に設けられるか、ホテルの各部屋に配置されたインターネットに接続された端末に設けられたものとする。
【００３９】
次に、動作を説明する。
【００４０】
以下の動作説明には、一例として、ユーザが翌日釣に行くため、翌日の朝４時にアラーム報知を要求し、もし釣に行く地方の翌日の天候が釣に相応しくないときには、アラーム報知を７時にする登録設定を行った場合を例に動作を説明する。
【００４１】
最初に、インターネット上の配信用サーバから気象情報がアラーム報知変更要因情報として配信される動作を説明する。
【００４２】
図１に示すデータベース格納更新部５には、図示しない外部のインターネット上の配信用サーバから地域別の最新の気象情報がアラーム報知変更要因情報としてあらかじめ定められた時刻に定期的に配信される。データベース格納更新部５のインターネット配信情報受信手段５２を介してデータベース入力・更新制御手段５３に上記サーバから配信された新たな気象情報が入力されると、データベース部４に格納されている、それまでの気象情報は、データベース入力・更新制御手段５３によって、入力された新たな気象情報にその都度更新される。配信された気象情報には、配信された要因情報取得日時データが付与されて格納される。
【００４３】
また、データベース入力・更新制御手段５３は、気象情報が通常、地域によって情報の内容が異るので、サーバから地域ごとの気象情報をあらかじめ定められた地域について順次配信を受けて、その地域名を示す位置情報とともにデータベース部４に格納する。すなわち、それぞれの地域の気象情報は、格納された要因情報取得日時データ及び位置情報に関連付けて格納される。
【００４４】
なお、オペレータがデータベース入力手段５１のキーボードあるいはマウス等によってデータベース入力・更新制御手段５３に、気象情報以外のアラーム報知変更要因情報が入力することもでき、入力されたアラーム報知変更要因情報はデータベース入力・更新制御手段５３によってデータベース部４に格納される。さらに、オペレータがデータデータベース入力手段５１から入力したアラーム報知変更要因情報によって、配信用サーバから配信された気象情報と同様に、データベース部４に格納される、アラーム報知変更要因情報を更新することができる。
【００４５】
次に、ユーザによりアラーム報知の登録要求の設定が行われ、アラーム報知が行われまでの動作を以下に説明する。
【００４６】
図２は、図３とともに、本実施の形態のアラーム報知システムにおける動作の一例を示す流れ図である。
【００４７】
ユーザによって、アラーム報知登録設定入力手段１１からアラーム報知の登録要求の設定が入力されると（図２のステップ１：図ではステップをＳと表記）、アラーム報知条件送受信手段６１は、アラーム報知条件の設定フォーマットをデータベース部４から読み出し、アラーム報知登録制御手段１３に対して通知し、アラーム報知登録制御手段１３は通知された上記アラーム報知条件を、これからアラーム報知の要求を登録しようとしているユーザの閲覧のための情報として、表示手段１２に出力し表示する（ステップ２）。
【００４８】
表示手段１２に表示されたアラーム報知条件の設定フォーマットを参照したユーザが、アラーム報知登録設定部１のアラーム報知登録設定入力手段１１によって必要事項を入力してアラーム報知条件を生成することになるが、このためユーザによって設定入力される情報としては、アラーム報知が行われる第１の時刻の時刻情報として「翌朝４時」、アラーム報知先の地域を示す位置情報として例えば「北関東地方」、及び気象条件として「翌日の朝４時にアラーム報知し、もし位置情報の示す地域の天候が雨天かまたは強風のあるときは、７時にアラーム報知する」の意を示す条件等である。
【００４９】
また、気象条件については、アラーム報知登録設定入力手段１１から入力される指示に基づいて、アラーム報知制御部６がデータベース部４から読み出し、アラーム報知登録制御手段１３を介して表示手段１２に表示された、各種のアラーム報知変更要因条件の中からアラーム報知条件として設定可能な気象条件をユーザがアラーム報知登録設定入力手段１１により選択し、この気象条件を基にして、上記の「翌日の朝４時にアラーム報知し、もし位置情報の示す地域の天候が雨天かまたは強風のあるときは、７時にアラーム報知する」の意を示す気象条件を生成して設定入力する必要がある。アラーム報知登録設定入力手段１１により、アラーム報知変更要因条件として気象条件が上記のように選択入力されると、このことが、アラーム報知登録制御手段１３を介してアラーム報知条件送受信手段６１に通知され、さらに、アラーム報知処理制御手段６２に通知される。
【００５０】
なお、アラーム報知先の識別情報として「アラーム報知部２のＩＤ情報」が、ユーザがアラーム報知登録設定部１のアラーム報知登録設定入力手段１１によってアラーム報知の登録要求の設定の入力操作が行われると、上記の時刻条件として第１の時刻の時刻情報、位置情報及び気象条件とともに、アラーム報知処理制御手段６２に入力される。すなわち、「アラーム報知部２のＩＤ情報」は、アラーム報知登録設定入力手段１１により、ユーザが自分で時刻条件等を設定して入力したときに、アラーム報知登録制御手段１３により入力された時刻条件等に自動的に付与されてアラーム報知処理制御手段６２に通知される（ステップ３）。
【００５１】
ユーザによるアラーム報知条件の設定入力が終了すると、アラーム報知要求の登録が設定された状態に入る（ステップ４）、アラーム報知処理制御手段６２は、アラーム報知登録設定部１によって設定入力され登録されたアラーム報知要求に基づいて、タイマ部３からあらかじめ定められた時間間隔で定期的に出力される、現在時刻を示す時刻データを入力すると、この時刻データが示す現在時刻と一致する第１の時刻を示す時刻情報の有無をデータベース部４で検索し、現在時刻を示す時刻データと一致する第１の時刻を示す時刻情報がデータベース部４から検出されると、すなわち、上記に述べた例では、「朝４時」という第１の時刻の時刻情報が検出されると（ステップ５）、「朝４時」という時刻情報とともに設定入力され格納されたアラーム報知条件としてアラーム報知変更要因条件が格納されているか否かを調べ、この場合はアラーム報知変更要因条件として気象条件が格納されているの確認して、気象条件を読み出す（ステップ６）。
【００５２】
アラーム報知処理制御手段６２は、読み出した気象条件を調べるが、雨天及び強風の場合はアラーム報知時刻を遅らせて、「朝７時」にアラーム報知を行うという気象条件が格納されているので、気象条件と一緒に格納されている位置情報を読み出し、読み出した位置情報を参照して、データベース部４に格納されている地域別の最新の気象状況を示す気象情報の中から、位置情報の示す地域「北関東地方」の気象情報を検索して読み出す（ステップ７）。
【００５３】
アラーム報知処理制御手段６２は、検索された気象情報に基づいて、気象状況が雨天でも強風でもなくアラーム報知を問題なく行うことができるか否か、すなわち気象状況に問題ないか否かを判定し（ステップ８）、雨天でも強風でもないと判定した場合は、この判定結果に基づいて、朝４時にアラーム報知を行うものと判定してアラーム報知指示情報をアラーム報知指示情報送信手段６３を介して、アラーム報知先の識別情報として入力されている「アラーム報知部２のＩＤ情報」を有したアラーム報知部２に送信する。
【００５４】
一方、アラーム報知部２のアラーム報知指示情報受信手段２２は、アラーム報知制御部６のアラーム報知指示情報送信手段６３から、アラーム報知処理制御手段６２が雨天でも強風でもないと判定したときの上記アラーム報知指示情報を４時に受信すると、アラーム報知手段２３に対して、当初の設定通り第１の時刻にアラーム報知を行うためにスピーカあるいはベルの鳴動を行わせる（ステップ９）。
【００５５】
また、アラーム報知処理制御手段６２が雨天または強風であると判定した場合は、７時になったとき、「雨天であるので（または強風であるので）朝７時にアラーム報知を行った」という旨のメッセージを含んだアラーム報知指示情報を生成し、この生成したアラーム報知指示情報をアラーム報知指示情報送信手段６３を介して、アラーム報知先の識別情報として入力されている「アラーム報知部２のＩＤ情報」を有したアラーム報知部２に送信する。
【００５６】
アラーム報知部２のアラーム報知指示情報受信手段２２は、アラーム報知制御部６のアラーム報知指示情報送信手段６３から、アラーム報知処理制御手段６２が雨天である（または強風である）と判定したときの上記アラーム報知指示情報を７時に受信すると、アラーム報知手段２３に対して、当初の設定と異る時刻である第２の時刻にアラーム報知を行うためにスピーカあるいはベルの鳴動を行わせるとともに、アラーム報知指示情報に含まれていた上記メッセージを表示手段１２に表示させる（ステップ１０）。
【００５７】
以上でアラーム報知の登録要求の設定からアラーム報知が行われまでの動作説明を終了するが、本発明では、各種のアラーム報知変更要因情報をデータベース部４で一元的に管理でき、データベース情報入力・更新部５を備えることで、データベース部４に格納するアラーム報知変更要因情報の内容を更新することができるとともに、データベース部４に格納するアラーム報知変更要因情報として、新たなアラーム報知変更要因情報をインターネットを介して容易に取得して追加することができ、また、必要に応じてアラーム報知登録設定入力手段１１からも新たなアラーム報知変更要因情報をオペレータにより容易に入力することができるので、アラーム報知の方法の変え方を多様にすることができる。
【００５８】
また、上述したように、位置情報をアラーム報知変更要因情報として用いることができるので、例えば、行楽に行く朝の起床時刻に合せてアラーム報知の時刻を設定した場合に、行楽先の天候状況に基づいてアラーム報知方法を変更することができる。
【００５９】
また、図１に示す本実施の形態のアラーム報知システムについての上記説明では、アラーム報知登録設定部１及びアラーム報知部２の数は、それぞれ「１」の場合で説明したが、アラーム報知登録設定部１及びアラーム報知部２の数が、それぞれ複数であってもよい。
【００６０】
また、上述した図１に示す本実施の形態のアラーム報知システムの説明では、、タイマ部３、データベース部４、データベース格納更新部５及びアラーム報知制御部６は、インターネット上に設けられたアラーム報知サービスを提供するためのサーバに収容され、一方、アラーム報知登録設定部１及びアラーム報知部２は、例えば、ユーザの自宅の、インターネットに接続された端末に設けられるか、ホテルの各部屋に配置されたインターネットに接続された端末に設けられた場合を想定したが、アラーム報知登録設定部１及びアラーム報知部２を、インターネットに接続される携帯端末に設けるようにしてもよい。
【００６１】
また、上述したアラーム報知登録設定部１及びアラーム報知部２を、インターネットに接続される携帯端末に設ける場合、携帯端末が移動通信網に対して行う位置登録によって得られる位置情報を移動通信網から取得する機能を有するか、あるいは、ＧＰＳからの位置情報を取得する機能を有する携帯端末に設けるようにしてもよい。上記の説明では、アラーム報知先の地域を示す位置情報がアラーム報知登録設定部１のアラーム報知登録設定入力手段１１によってユーザがアラーム報知条件として設定入力されていたが、アラーム報知先の地域を示す位置情報はユーザが自分で入力しなくても、移動通信網からの位置情報を取得する機能あるいはＧＰＳからの位置情報を取得する機能により自動的に入力可能となる。
【００６２】
また、図１に示す本実施の形態のアラーム報知システムについての上記説明では、アラーム報知登録設定部１及びアラーム報知部２には、位置情報を取得する手段を有しておらず、ユーザが入力することで説明したが、アラーム報知登録設定部１またはアラーム報知部２のいずれかに、位置情報を取得する手段を設けて位置情報をインターネットを介してアラーム報知制御部６に送信するようにいてもよい。
【００６３】
【発明の効果】
以上説明したように、本発明のアラーム報知システムは、アラーム報知の時刻条件を変更するためのアラーム報知変更要因条件を構成するアラーム報知変更要因情報として、インターネット上の配信サーバから配信される情報を用いて構成することにより、アラーム報知の条件を変更する要因となる各種の情報を直接取得する手段を設ける必要がなく、また、アラーム報知の条件を変更する要因となる各種の情報の追加変更が容易に設定することができ、さらに、地域ごとのアラーム報知変更要因条件の変化の仕方に対応したアラーム報知時刻の制御ができるという効果を有している。
【図面の簡単な説明】
【図１】本発明のアラーム報知システムの実施の一形態を示すブロック図である。
【図２】図３とともに、本実施の形態のアラーム報知システムにおける動作の一例を示す流れ図である。
【図３】図２とともに、本実施の形態のアラーム報知システムにおける動作の一例を示す流れ図である。
【符号の説明】
１　　アラーム報知登録設定部
２　　アラーム報知部
３　　タイマ部
４　　データベース部
５　　データベース情報入力・更新部
６　　アラーム報知制御部
１１　　アラーム報知登録設定入力手段
１２　　表示手段
１３　　アラーム報知登録制御手段
２２　　アラーム報知指示情報受信手段
２３　　アラーム報知手段
５１　　データベース入力手段
５２　　インターネット配信情報受信手段
５３　　データベース入力・更新制御手段
６１　　アラーム報知条件送受信手段
６２　　アラーム報知処理制御手段
６３　　アラーム報知指示情報送信手段
【図１】
2004117122.tif 000003
【図２】
2004117122.tif 000004
【図３】
2004117122.tif 000005